(57)【要約】【課題】ハンドル軸に螺合された制動力調節体の回転操作性を向上させ、操作性に優れた魚釣用リールを提供すること【解決手段】リール本体１２に回転自在に支持したスプール１８ａを、端部にハンドルアーム２２を有するハンドル軸２６の回転で巻取り駆動回転すると共に、放射状に複数の操作部６８を突設させた制動力調節体４２をハンドル軸２６に螺合し、この制動力調節体４２を回動操作することにより、スプール１８ａに付与する制動力を調節可能とした魚釣用リール１０において、制動力調節体４２は、1つの操作部６８ａが、ハンドル軸を中心とした回転方向一側の外縁部６９ａを、ハンドルアームの同じ側の外縁部２３ａに重ねられた状態に配置されたときに、この1つの操作部６８ａに隣接する操作部６８ｂが、ハンドルアーム２２に取付けられる操作用ツマミ２２ａの軸芯ｐを中心としかつハンドル軸の軸芯ｒを通る円Ｒの半径方向内側に配置される魚釣用リール。【選択図】      図３
2007028916.tif 000002
【特許請求の範囲】
【請求項１】
リール本体に回転自在に支持したスプールを、リール本体に回転自在に支持されて端部にハンドルアームを有するハンドル軸の回転で巻取り駆動回転すると共に、放射状に複数の操作部を突設させた制動力調節体を前記ハンドル軸に螺合し、この制動力調節体をハンドル軸上で回動操作することにより、前記スプールに付与する制動力を調節可能とした魚釣用リールにおいて、
前記制動力調節体は、1つの操作部が前記ハンドル軸を中心とした回転方向一側の外縁部を、前記ハンドルアームの同じ側の外縁部に重ねられた状態に配置されたときに、この1つの操作部に隣接する操作部が、前記ハンドルアームに取付けられる操作用ツマミの軸芯を中心としかつ前記ハンドル軸の軸芯を通る円の半径方向内側に配置されることを特徴とする魚釣用リール。
【請求項２】
前記制動力調節体は、放射状に延びる操作部）の中間部を、前記ハンドル軸の軸方向に沿ってリール本体側に屈曲形成されている請求項１に記載の魚釣用リール。
【発明の詳細な説明】
【技術分野】
【０００１】
本発明は、リール本体に回転自在に支持したスプールに制動力を付与する制動力調節体を備えた魚釣用リールに関する。
【背景技術】
【０００２】
一般に、スプールをリール本体に回転自在に支持する両軸受タイプの魚釣用リールには、リール本体に設けたハンドル軸に対する駆動歯車の摩擦結合力を調節して、この駆動歯車に連動するように連結されるスプールに制動力を付与する制動装置が設けらたものが知られている（例えば特許文献１および特許文献２参照）。
【０００３】
このような制動装置の制動力は、周方向に沿って複数の操作部を放射状に突出させた星形の制動力調節体をハンドル軸に螺合し、通常はハンドル軸から延びるハンドルアームにツマミ部を設けたハンドルを保持しつつ、この制動力調節体を魚釣用リールのハンドルアームを保持した手の指（例えば人差し指、親指）で回転操作することにより、ハンドル軸に沿って移動し、強弱が調節される。このように制動力調節体を手の指で回転操作する際に、隣接する操作部が邪魔にならないように、互いに隣接する操作部間には大きなスペースが確保されている。
【特許文献１】実開昭５３−９８１９５号公報
【特許文献２】実開昭５６−２１９７２号公報
【発明の開示】
【発明が解決しようとする課題】
【０００４】
実釣時においては、制動力の調節と釣糸の巻取り操作とを交互に実行しながら、魚との対応をタイムリーに行うため、ハンドルアームに設けたツマミ部を掌に保持した状態で、制動力調節体を人差し指で時計方向（制動力増大方向）に回転させ、あるいは、親指で反時計方向（制動力減少方向）に回転させることにより、釣場の状況に適合した制動力に設定する。
【０００５】
このように指で回転操作する制動力調節体は、ハンドルアームと共にハンドル軸の軸芯を中心として回転するため、制動力調節体の放射状に突出する操作部の1つがハンドルアームに重なると、このハンドルアームに重なった操作部を指で操作することはできなくなる。このとき、回転方向に沿って隣接配置された操作部は、間に形成される比較的大きなスペースのために、ハンドルアームのツマミ部から離隔した位置、特に、このツマミ部を中心としかつハンドル軸の軸芯を通る円よりも半径方向外側位置に配置される。
【０００６】
このように隣接配置された操作部を指に掛けて回転しようとすると、ツマミ部から離隔するために指が掛け難いだけでなく、掛かった指がハンドル軸の軸芯に向けて滑りやすい。指が操作部上をハンドル軸の軸芯側に移動した状態で制動力調節体を回転しようとすると、極めて大きな力を必要とする。一方、指が滑らない位置まで手を移動しようとすると、手の移動距離が大きくなり、操作性が損なわれる。
【０００７】
このため、操作部上をハンドル軸の軸芯方向に移動するのを防止しつつ、操作する必要があり、制動力調節体を滑らかに回転操作することのできる魚釣用リールの開発が望まれている。  
本発明は、このような事情に基いてなされたもので、ハンドル軸に螺合された制動力調節体の回転操作性を向上させ、操作性に優れた魚釣用リールを提供することを目的とする。
【課題を解決するための手段】
【０００８】
上記目的を達成する本発明の魚釣用リールは、リール本体に回転自在に支持したスプールを、リール本体に回転自在に支持されて端部にハンドルアームを有するハンドル軸の回転で巻取り駆動回転すると共に、放射状に複数の操作部を突設させた制動力調節体を前記ハンドル軸に螺合し、この制動力調節体をハンドル軸上で回動操作することにより、前記スプールに付与する制動力を調節可能とした魚釣用リールにおいて、前記制動力調節体は、1つの操作部が、前記ハンドル軸を中心とした回転方向一側の外縁部を、前記ハンドルアームの同じ側の外縁部に重ねられた状態に配置されたときに、この1つの操作部に隣接する操作部が、前記ハンドルアームに取付けられる操作用ツマミの軸芯を中心としかつ前記ハンドル軸の軸芯を通る円の半径方向内側に配置されることを特徴とする。
【発明の効果】
【０００９】
この魚釣用リールは、制動力調節体の1つの操作部が、ハンドル軸を中心とした回転方向一側の外縁部を、ハンドルアームの同じ側の外縁部に重ねられた状態に配置されたときに、これに隣接する操作部に指が掛けやすく、しかも、この操作部を通じて制動力調節体の回転操作を滑らかに行うことができ、極めて優れた操作性が得られる。
【発明を実施するための最良の形態】
【００１０】
図１は、本発明の好ましい実施形態による魚釣用リール１０を示す。  
本実施形態の魚釣用リール１０は、両軸受型手巻きリールとして形成してある。この魚釣用リール１０のリール本体１２は、概略的に示す連結部材１１等で一体化される左右一対のフレーム１４ａ，１４ｂのそれぞれの外側に、例えばビス、螺合あるいは嵌合等の手段により、側板１６ａ，１６ｂを取付けて、全体的に剛性構造のハウジングとして形成され、取付脚部１７を介して図示しない釣竿に固定される。
【００１１】
このリール本体１２のフレーム１４ａ，１４ｂ間には、スプール１８ａを装着してこのスプール１８ａと共に回転するスプール軸１８の両端部が、例えば図示のようなボール軸受２０ａ，２０ｂを介して回転自在に支持されている。このスプール軸１８の一端側には、ハンドルアーム２２で回転駆動されるピニオン２４がこのスプール軸１８と同軸状に配置されている。
【００１２】
このハンドルアーム２２をその外側端部に回り止め固定したハンドル軸２６は、図の右側に示す右側板１６ｂに形成した円筒突部１５内に配置され、ハンドルアーム２２に近接した先端側を軸受２８ｂを介してこの円筒突部１５で回転自在に支えられている。また、ハンドル軸２６の基部に設けた支持端部２７は、右側板１６ｂと右フレーム１４ｂとの間に形成された一定の空間領域を貫通し、右フレーム１４ｂに設けられた軸受２８ａを介してこのフレーム１４ｂに回転自在に支持されている。
【００１３】
このハンドル軸２６が貫通する空間領域には、操作用ツマミ２２ａを介してハンドルアーム２２で形成される回転力を、スプール軸１８の右端部側に伝達し、これによりスプール１８ａを回転させる駆動機構３０が収容され、一方、このスプール１８ａの左端部側には、スプール１８ａの過回転を防止することによって釣糸繰出時のバックラッシュを防止するため、例えば磁界内で回転する導電体内の渦電流によりスプール１８ａを制動する磁気制動式のバックラッシュ防止機構３２が設けられている。
【００１４】
右フレーム１４ｂと右側板１６ｂとの間の空間領域内に収容した駆動機構３０は、本実施形態では、スプール軸１８と同軸状でかつ軸方向に沿って移動可能なピニオンギヤ２４と、ハンドル軸２６に回転可能に設けられた駆動歯車３４と、この駆動歯車３４とハンドル軸２６との間に設けられたドラグ機構３６とで形成されている。
【００１５】
ピニオンギア２４は、スプール軸１８と同軸上に配置されたピニオン軸１９の外周に嵌挿され、右フレーム１４ｂと右側板１６ｂに設けた軸受２０ｃ，２０ｄにより回転可能に支持されており、後述するクラッチ機構３８をＯＮ／ＯＦＦ操作することによって、スプール軸１８に係合してスプール軸１８と一体的に回転する係合位置と、スプール軸１８との係合状態が解除された非係合位置との間を移動させることができる。具体的には、ピニオンギア２４に形成された周方向溝２４ａに係合しているクラッチプレート４０が、クラッチ機構３８のＯＮ／ＯＦＦ操作に連動して、ピニオン軸１９に沿って移動することにより、ピニオンギヤ２４を係合位置（釣糸巻取可能状態；クラッチＯＮ）と非係合位置（スプールフリー回転状態；クラッチＯＦＦ）とに移動させることができる。
【００１６】
ピニオンギヤ２４を駆動する駆動歯車３４は、ハンドルアーム２２に近接した表側が開口端を形成しかつ離隔した裏側が閉鎖端を形成する軸方向に短い筒状形状を有し、この内側に、上述のドラグ機構３６が収容されている。
【００１７】
このドラグ機構３６は、駆動歯車３４と一体回転するように配された金属ワッシャと、ハンドル軸２６に回り止めされた複数の金属ワッシャとを軸方向に沿って交互に配置し、これらの金属ワッシャ間に、ライニング材を介挿してある。ハンドル軸２６の外周部に螺合した制動力調節体４２を回転操作して、駆動歯車３４の閉鎖端側の底壁に向け、これらの金属ワッシャおよびライニング材を軸方向に押圧することによって、所望のドラグ力を付与することができる。
【００１８】
この魚釣用リール１０では、クラッチＯＮ状態で、ハンドルアーム２２を回転操作すると、このハンドル軸２６の回転運動がドラグ機構３６を介して駆動歯車３４に伝達され、この駆動歯車３４に噛合うピニオンギヤ２４が回転される。これにより、クラッチ機構３８を介してピニオンギヤ２４に係合しているスプール軸１８が連動して回転し、スプール１８ａを釣糸巻取方向に回転する。駆動歯車３４とハンドル軸２６との間に介挿されたドラグ機構３６は、制動力調節体４２の回転操作量に応じたドラグ力すなわち制動力を超える力が釣糸に作用したときに、スプール１８ａを空転させる。
【００１９】
本実施形態では、ハンドル軸２６と右側板１６ｂの円筒突部１５と間に、一方向クラッチ４４が設けられており、この一方向クラッチ４４によって、ハンドル軸２６は、釣糸巻取方向にのみ回転するように、その回転方向が規制されている。このような一方向クラッチ４４に代えて例えば逆転防止用のラチェット等の他の手段を設けることも可能である。
【００２０】
ハンドル軸２６の基部には、支持端部２７に近接した位置に、駆動歯車３４と後述するレベルワインド機構４６の駆動ギヤ４８とを連動させる連動ギヤ５０が回転可能に設けられており、この連動ギヤ５０には、上述した駆動歯車３４の閉鎖端（ハンドルアーム２２の反対側）に形成された複数（本実施の形態では、１８０度間隔で２個形成されている）の穴に嵌合可能な複数の突起が設けられている。これらの突起と穴とを介して連動ギヤ５０を駆動歯車３４に連結することにより、連動ギヤ５０は、常に、駆動歯車３４と共に一体回転する。また、これらの突起を設けられた側の反対側で、連動ギヤ５０は平坦状面に形成されており、ハンドル軸２６に回り止め固定されたクラッチ復帰用ギヤ５２の平坦状の側面とこの連動ギヤ５０の平坦状面とが互いに面接している。
【００２１】
連動ギヤ５０は、スプール１８ａの前方側に配置されたレベルワインド機構４６の駆動ギヤ４８に噛合している。このレベルワインド機構４６は、外周面にトラバース溝が形成されかつ端部に駆動ギア４８が取り付けられたウォームシャフト５４と、このウォームシャフト５４を収容する筒体５６と、ウォームシャフト５４の回転に連動して、筒体５６に沿って左右に摺動する摺動体５８とを有しており、この摺動体５８に設けられた釣糸案内部材（図示しない）を介してスプール１８ａに釣糸を平行に巻回案内する。即ち、ハンドルアーム２２を回転操作すると、そのときの回転運動は、駆動歯車３４と一体回転する連動ギヤ５０を介して駆動ギヤ４８に伝達され、ウォームシャフト５４を回転させる。このとき、ウォームシャフト５４の回転に連動して、摺動体５８と共に釣糸案内部材が左右に摺動することによって、釣糸は、スプール１８ａ上に均等に巻回される。
【００２２】
スプール１８ａ上に巻回される釣糸に、例えば魚の引き等による一定限度以上の力が作用したときに、スプール１８ａを空転させて釣糸が切れるのを防止するドラグ機構３６は、ハンドル軸２６の外周部に螺合した制動力調節体４２を回動操作することで、そのドラグ力すなわちスプール１８ａに作用する制動力が調整される。この制動力調節体４２は、リール本体１２の円筒突部１５とハンドルアーム２２との間に配置してあり、ハンドル軸２６に螺合される中央ネジ孔６０を形成したボス部６２が、円筒突部１５側に形成された平坦状の環状面６４を、軸受２８ｂの内輪部材に当接させることができる。このハンドル軸２６上には、軸受２８ｂと一方向クラッチ４４の内輪部材との間に一対の皿バネ２５が介挿されており、制動力調節体４２が円筒突部１５側に移動されたときに、ボス部６２の環状面６４が、軸受２８ｂの内輪部材と一対ばねの皿バネ２５と一方向クラッチ４４の内輪部材とを介して、ドラグ機構３６の金属ワッシャおよびライニング材を駆動歯車３４に弾力的に押圧する。したがって、ハンドル軸２６上における制動力調節体４２の軸方向位置によって、ハンドル軸２６と駆動歯車３４との間に形成される摩擦力の大きさ、すなわちスプール１８ａが釣糸繰出し方向に逆転するときのドラグ力が定まる。
【００２３】
本実施形態の制動力調節体４２は、ボス部６２の円筒突部１５側から、円筒突部１５の外周部を覆うに環状壁６６が突出しており、その軸方向の全移動行程を通じて、円筒突部１５と制動力調節体４２との間から異物が侵入するのを防止している。また、制動力調節体４２の抜け止め部材としても機能するハンドルアーム２２は、ハンドル軸２６の先端に形成した断面非円形の段部２６ａに回り止めされて装着され、この段部２６ａの外周部に螺合したキャップ部材２１と、ハンドルアーム２２にネジ止めされてキャップ部材２１の回動を防止する固定プレート２３とにより、このハンドル軸２６から抜出るのを防止されている。これにより、ハンドルアーム２２は、段部２６ａ上での軸方向および周方向の移動を防止され、制動力調節体４２の軸方向移動距離は、このハンドルアーム２２と円筒突部１５とで制限される。
【００２４】
図２から図４に示すように、本実施形態の制動力調節体４２は、ボス部６２から放射状に６つの操作部６８を突出させた星形構造を有する。図２および図３に示すようにハンドルアーム２２側から見た状態で、ハンドル軸２６の軸芯ｒを中心に時計方向に回動するとドラグ機構３６の金属ワッシャおよびライニング材を駆動歯車３４側に締付けられてドラグ力が増大され、逆に、反時計方向に回動すると、ドラグ力が減少される。すなわち、各操作部６８を外縁部６９ａ側から押圧すると、制動力調節体４２がハンドル軸２６上を時計方向に回動して円筒突部１５側に移動してドラグ力を増大し、逆に、外縁部６９ｂ側から押圧すると、、制動力調節体４２がハンドル軸２６上を反時計方向に回動してハンドルアーム２２側に移動してドラグ力を減少する。
【００２５】
このようにドラグ力を調整する際に操作するこれらの操作部６８は、半径方向に直線状に突出し、ハンドルアーム２２と略平行に延設されると共に、周方向に沿って互いに等間隔に配置されている。各操作部６８は比較的幅狭の板状構造を有し、隣接する操作部６８間には、操作するときに指を移動するのに十分な空間が形成される。また、これらの操作部６８は、先端部７０が半円状に丸められ、この先端部７０はその板厚の１／２程度の軸方向寸法だけ右側板１６ｂの円筒突部１５側に屈曲する屈曲部７１の先端にハンドルアーム２２と平行に形成されており（図４参照）、屈曲部７１を形成することにより、ツマミ２２ａを掌に保持した状態で指の自然な動きを維持しながら、操作部６８を容易に操作することができる。また、先端部７０の表面には、ハンドルアーム２２に対する回転方向の配置位置により、制動力の目安となる指標部を形成することが可能となる。また、先端部７０が屈曲部７１の先端に連続して設けられることにより、回動操作される指の接触抵抗の変化を感得しつつ、節度ある回転操作を行うことが可能となる。
【００２６】
特に図３に示すように、符号６８ａで示す１つの操作部がハンドルアーム２２に重なった状態、より具体的にはハンドル軸２６の軸芯ｒを中心としてドラグ力を増大する方向に回転するときの回転方向後方の外縁部６９ａを、少なくともハンドルアーム２２の同じ側の外縁部２３ａに重ねられた状態に回転配置されたときに、外縁部６９ａ側でこの1つの操作部６８ａに隣接する他の操作部６８ｂの特にその回転方向後方の外縁部６９ａが、ハンドルアーム２２に取付けられる操作用ツマミ２２ａの軸芯ｐを中心としかつハンドル軸２６の軸芯ｒを通る円Ｒの半径方向内側に配置される。このときに、ハンドルアーム２２に重ねられた状態の１つの操作部６８ａの回転方向後方の外縁部６９ａはハンドルアーム２２内に配置され、ハンドルアーム２２の外縁部２３ａと、これに対向する操作部６８ｂの外縁部６９ｂとの間には、操作する指と干渉しない程度の十分な大きさのスペースが確保される。
【００２７】
このように、１つの操作部６８ａがハンドルアーム２２に重なる状態に配置されたときに、これに隣接する操作部６８ｂすなわち回動方向後方にあって次に操作する操作部６８ｂが、上述の円Ｒの半径方向内方に配置されることにより、ツマミ２２ａを操作する手の掌に保持しつつ指をこの操作部６８ｂに掛けたときに、ハンドル軸２６の軸芯ｒに向く力の成分が作用しない。これとは、逆に、操作部６８ｂが円Ｒの半径方向外側に配置された場合には、操作部６８ｂに掛けた指がハンドル軸２６の軸芯ｒ方向に滑り易く、軸芯ｒ側に移動すると、この軸芯ｒとの距離が短くなり、制動力調節体４２を回動させるために必要な力が大きくなる。また、軸芯ｒ方向に滑らない場合でも、操作部６８ｂは、ツマミ２２ａを固定してみると、円Ｒに到達するまでは周方向に沿って軸芯ｒから離隔する方向に移動し、円Ｒを超えた後に、周方向に沿って軸芯ｒに近接する方向に移動し、したがって、その動きが不規則となり、滑らかに移動させることはできない。
【００２８】
本実施形態の制動力調節体４２は、この操作部６８が上述の円Ｒの半径方向内方に配置されることにより、ツマミ２２ａを固定してみたときに、常に周方向において軸芯ｒに近接する方向に移動し、したがってツマミ２２ａを操作する手の掌に保持しつつ指で滑らかに移動することができ、操作性に極めて優れる。
【００２９】
なお、本発明は上述の実施形態に特定されるものではなく、様々に変更可能である。例えば操作部６８の先端部７０に着色等の指標を設けることも可能であり、更に、操作部６８を回動方向の前方あるいは後方に湾曲させることも可能である。
【図面の簡単な説明】
【００３０】
【図１】本発明の好ましい実施形態による魚釣用リールの断面図。
【図２】図１の魚釣用リールの側面図。
【図３】図１の魚釣用リールのハンドルアームと制動力調節体との配置状態の説明図。
【図４】図１の魚釣用リールのハンドルアームと制動力調節体との配置状態を説明する断面図。
【符号の説明】
【００３１】
１０…魚釣用リール、１２…リール本体、１８ａ…スプール、２２…ハンドルアーム、２２ａ…ツマミ、２６…ハンドル軸、４２…制動力調節体、６８…操作部、ｒ，ｐ…軸芯、Ｒ…円。
【図１】
2007028916.tif 000003
【図２】
2007028916.tif 000004
【図３】
2007028916.tif 000005
【図４】
2007028916.tif 000006